(57)【要約】【課題】見ている箇所を見失いにくく且つ見ている箇所の表示内容が変更されない表示装置を提供する。【解決手段】本発明の表示装置１は、表示部１４に表示された画像の中から注視点を検出する検出部１６と、前記注視点を含む第１表示範囲を除く第２表示範囲に表示されている前記画像を、前記第１表示範囲に表示されている前記画像よりもぼかして表示させる表示制御部１５と、を備える。【選択図】図２
2018055115.tif 000002
【特許請求の範囲】
【請求項１】
表示部に表示された画像の中から注視点を検出する検出部と、
前記注視点を含む第１表示範囲を除く第２表示範囲に表示されている前記画像を、前記第１表示範囲に表示されている前記画像よりもぼかして表示させる表示制御部と、
を備える表示装置。
【請求項２】
請求項１に記載の表示装置であって、
前記表示制御部は、前記第１表示範囲と前記第２表示範囲との境界が明確にならないように前記画像をぼかして表示させる表示装置。
【請求項３】
請求項１または２に記載の表示装置であって、
ユーザの眼球を撮像する撮像部をさらに有し、
前記検出部は、前記撮像部により撮像された画像に基づいて、前記ユーザが注視している前記注視点を検出する表示装置。
【請求項４】
表示部に表示された画像の中から注視点を検出する検出部を備えるコンピュータに、
前記注視点を含む第１表示範囲を除く第２表示範囲に表示されている前記画像を、前記第１表示範囲に表示されている前記画像よりもぼかして表示させるように機能させるプログラム。
【発明の詳細な説明】
【技術分野】
【０００１】
本発明は、表示装置及びプログラムに関する。
【背景技術】
【０００２】
電子書籍等の表示装置により書籍を読む場合、使用者は、読んでいる箇所を見失い、どこを読んでいるのかわからなくなる場合がある。このため、使用者の視線を検出し、画面上における、使用者が着目している位置にある文字等の色を反転させて強調するという技術が知られている（例えば、特許文献１参照）。
【先行技術文献】
【特許文献】
【０００３】
【特許文献１】特開２００７−１０２３６０号公報
【発明の概要】
【発明が解決しようとする課題】
【０００４】
しかしながら、特許文献１に記載の発明では着目している位置にある表示物の色を反転させるので、文字以外に画像や絵も表示されることが多い雑誌・広告の場合、本来意図する表示内容とは異なるものになる可能性がある。
【０００５】
本発明の課題は、見ている箇所を見失いにくく且つ見ている箇所の表示内容が変更されない表示装置及びプログラムを提供することである。
【課題を解決するための手段】
【０００６】
本発明は、以下のような解決手段により前記課題を解決する。
【０００７】
本発明は、表示部に表示された画像の中から注視点を検出する検出部と、前記注視点を含む第１表示範囲を除く第２表示範囲に表示されている前記画像を、前記第１表示範囲に表示されている前記画像よりもぼかして表示させる表示制御部と、を備える表示装置に関する。
また、本発明は、表示部に表示された画像の中から注視点を検出する検出部を備えるコンピュータに、前記注視点を含む第１表示範囲を除く第２表示範囲に表示されている前記画像を、前記第１表示範囲に表示されている前記画像よりもぼかして表示させるように機能させるプログラムに関する。
【発明の効果】
【０００８】
本発明によれば、見ている箇所を見失いにくく且つ見ている箇所の表示内容が変更されない表示装置及びプログラムを提供することができる。
【図面の簡単な説明】
【０００９】
【図１】第１実施形態の表示装置の概略的な構成を示す正面図である。
【図２】表示装置の概略的な機能構成を示すブロック図である。
【図３】第１実施形態の表示装置の表示例を示した図であり、（ａ）は使用者の視線が注目点１に向けられている場合の表示例、（ｂ）は使用者の視線が注目点１から注目点２に移動した場合の表示例を示した図である。
【図４】表示装置の動作を示すフローチャートである。
【図５】第２実施形態の表示装置の表示例を示した図であり、（ａ）は、注目点以外の表示をぼかす前の状態、（ｂ）は、注目点を中心とした表示範囲以外の部分をぼかして表示した状態を示す。
【発明を実施するための形態】
【００１０】
（第１実施形態）
以下、図面等を参照して、本発明の実施形態について説明する。
図１は、本実施形態の表示装置１の概略的な構成を示す正面図である。表示装置１は、電子書籍、携帯電話またはタブレット端末などを含むものであり、液晶パネルやＥＬ（Ｅｌｅｃｔｒｏ−Ｌｕｍｉｎｅｓｃｅｎｃｅ）パネル等からなる表示部１４を、図示するように表示装置１の前面の略中央部に備える。表示部１４の周囲には、操作ボタン２１及び撮像部１７が設けられている。また、表示部１４は、タッチパネル操作が可能で、表示部１４及び操作ボタン２１で操作部１１０を構成している。
【００１１】
図２は表示装置１の概略的な機能構成を示すブロック図である。
表示装置１は、演算を行うＣＰＵ１１と、演算時のデータを記憶するＲＡＭ１２と、制御プログラムを記憶するＲＯＭ１３と、を備えている。
ＣＰＵ１１はＲＯＭ１３に記憶された制御プログラムに従って表示装置全体の動作を制御する。
【００１２】
また、表示装置１は、上述の表示部１４と、その表示部１４を制御する表示制御部１５とを備えている。ＣＰＵ１１からの指示により表示制御部１５は表示画像を生成する。そして表示部１４は、生成された画像を表示する。
【００１３】
さらに、表示装置１はハードディスクやメモリ等からなる記録部１８と、ＷＩ−ＦＩやモバイル通信機能等を有する通信部１９とを備えている。ＣＰＵ１１は記録部１８に記録された画像や通信部１９から得た画像を表示制御部１５に生成させて表示部１４に表示させる。
そして、操作部１１０を介して使用者からの処理指示が入力されると、ＣＰＵ１１は入力された処理指示に従った処理を表示制御部１５に指示する。
【００１４】
さらに、表示装置１は上述の撮像部１７と視線検出部１６とを備える。
撮像部１７は、図１に示すように表示装置１の表示部１４側の面に配置され、表示部１４を見ている使用者の眼球の撮影が可能である。
視線検出部１６は、撮像部１７により撮影された画像における眼球の動きより、表示部１４上における使用者が注目している注目点を特定する。
表示制御部１５は視線検出部１６が特定した使用者の注目点に応じて注目点の周辺以外がぼけるように表示画像を処理し、処理した画像を表示部１４で表示する。
【００１５】
図３は、表示部１４に文章等の文字列が表示されている例を示した図である。
図３（ａ）は、使用者の視線が注目点１に向けられている場合の表示部１４の表示例を示した図である。
例えば、注目点１にある文字（図中、黒丸で示す）と、その前後（読み進んでいく方向の前後，図中上下）のそれぞれ３文字（図中、実線の丸で示す）を含む表示範囲１内の文字は、ぼけずにはっきりと表示され、それ以外の文字は、ぼけて表示される（図中、点線の丸で示す）。このように、注目点１を含む表示範囲１以外の文字をぼかすことにより、使用者が、今、読んでいる箇所を認識しやすく、読んでいる箇所を見失ってしまうことがない。
【００１６】
図３（ｂ）は、使用者の視線が注目点１から注目点２に移動した場合の表示例を示した図である。図示するように、注目点２は、注目点１が存在していた行からずれて、隣の行に近い位置に移動している。
しかし、使用者が文書を読んでいる場合に、現在読んでいる行の一番下まで視線が移動せずに、隣の行に視線が移動する可能性は低い。ゆえに使用者は注目点１と同じ行を読んでいるのだが、視線がふらついてしまった可能性がある。この場合に注目点２に合わせて表示範囲を次の行の左下に移動してしまうと、使用者が読んでいる箇所を見失う可能性がある。このため、本実施形態で表示制御部１５は、表示範囲の左右方向の移動を制限し、上下方向のみ移動するようにする。
【００１７】
しかし、使用者が読む行を変えることを希望している場合もある。このため、例えば、使用者が視線を大きく下から上へ移動させる、あるいは、まばたきをする等、所定の視線動作を行った場合、撮像部１７はその動作を撮像し、視線検出部１６はその動作を検出し、表示制御部１５は注目点２に基づく表示範囲２内の文字をはっきりと表示させる（表示範囲２以外の文字をぼかす）。すなわち、所定の視線動作を合図にして、表示範囲を現在の着目点２に移動させることができるようになっている。
【００１８】
さらに、表示装置１は、使用者が全体をはっきり表示させること（全体表示）を希望する場合、所定の視線動作を合図にして、全体表示に切り替わるようになっている。また、この全体表示から、注目点を含む表示範囲以外の文字をぼかす表示に変更する場合も、所定の視線動作を合図にして表示が切り替わるようになっている。
【００１９】
また、本実形態の表示装置１は、使用者が見ている位置を記憶可能となっている。表示装置１の電源を切った際やスリープ状態にした際に、表示範囲以外をぼかした画像をＲＯＭ１３に記憶しておくことによって、使用者が次に表示装置を見る際に、見ていた画像に加え、注目していた範囲も知ることができる。
【００２０】
図４は本実施形態の表示装置１の動作を示すフローチャートである。
表示装置１の電源がオンにされると、ステップＳ１においてＣＰＵ１１は、記録部１８に記録されている文章、あるいは通信部１９から得た文章を、表示制御部１５に生成させて表示部１４に表示させる。
【００２１】
次に、ＣＰＵ１１は、ステップＳ２において撮像部１７に使用者の眼球を撮影させる。
続いて、ＣＰＵ１１は、ステップＳ３において視線検出部１６に、撮像部１７で撮影した画像より使用者の視線を検出させ、表示部１４上の使用者が注目している点を特定させる。
そして、ＣＰＵ１１は、ステップＳ４において図３（ａ）に示すように、表示制御部１５によって、表示部１４に表示されている文章のうちの、視線検出部１６が特定した注目点１を中心とした表示範囲１以外の部分をぼかして表示させる。
【００２２】
次にＣＰＵ１１は、ステップＳ５において操作部１１０を介した使用者からの表示範囲変更の入力がないか否かを判断し、入力がない場合はステップＳ６へ移行する。
一方、入力がある場合は、ステップＳ７へ移行する。そしてＣＰＵ１１はステップＳ７において使用者からの表示範囲変更の入力に応じて、表示制御部１５に表示範囲の形状・大きさを変更させ、再びステップＳ４に移行する。
そして、ステップＳ４において変更された表示範囲以外をぼかした画像を表示部１４で表示する。
ステップ６でＣＰＵ１１は画像の表示を終了するか否かが操作部を介して入力されたかを判定し、肯定される場合には表示を終了させる。一方否定される場合には再びステップＳ１へと戻し画像表示を継続させる。
【００２３】
以上、本実施形態によると、以下の効果を有する。
（１）表示部における、使用者の視線が向けられている注目点１を含む表示範囲以外の文字をぼかすことにより、使用者が、読んでいる箇所を見失ってしまうことがない。
（２）本実施形態では、表示範囲の左右方向の移動を制限し、上下方向のみ移動するようにしているので、視線がふらついてしまった際に、注目点が別の行に移動して使用者が読んでいる箇所を見失うことが防止される。
（３）表示範囲の左右の方向の移動が制限されているが、特定の視線動作を合図にして表示範囲を現在の着目点２に移動させることができるようになっているので、次の行を読む場合であっても不便を生じない。
（４）使用者が見ている部分の表示は変更されず、それ以外の部分がぼけて表示されるので、表示内容を損なわずに、見難くなることがない。
（５）使用者が、全体をはっきり表示させることを希望する場合、操作部１１０による入力で全体をはっきりと表示可能であるため、使用者の希望に応じた表示の変更が可能である。
【００２４】
（第２実施形態）
図５は本発明の第２実施形態を示した図である。第２実施形態は、第１実施形態に対して、表示部１４に表示されている内容が図形である以外同様であるので、同様な構成の説明は省略する。
図示するように、本実施形態において、使用者の視線が図５（ａ）に示す注目点に注がれている場合、ＣＰＵ１１は、図５（ｂ）に示すように、表示制御部１５によって、表示部１４に表示されている図形のうちの、視線検出部１６が特定した注目点を中心とした表示範囲以外の部分をぼかして表示させる。
本実施形態においても、第１実施形態と同様に、本来の表示内容を損なわずに使用者が読んでいる部分を見失いにくくすることができる。
【００２５】
（変形形態）
以上、説明した実施形態に限定されることなく、以下に示すような種々の変形や変更が可能であり、それらも本発明の範囲内である。
【００２６】
（１）第１実施形態では、注目点１を中心とした前後それぞれ３文字を表示範囲として、それ以外の領域をぼかしたが、本発明はこれに限定されない。例えば、注目点１を中心としてぼけずにはっきり表示される表示範囲の文字数は、前後３文字に限定されず、それ以上でもそれ以下でも良い。
【００２７】
（２）第１実施形態において、表示範囲は、注目点１を中心とした範囲であったがこれに限定されず、注目点１の前（上）の文字数を２文字、（下）後の文字数を文字等、前後ではっきりと表示させる文字数を異ならせるようにしてもよい。さらに、表示範囲内において、注目点１にある文字が一番前（上）でも良い（すなわち、注目点１より前の文字数は０文字）。
【００２８】
（３）第１実施形態において、はっきりと表示する（ぼかさず表示する）表示範囲内の文字数は、表示装置において固定された数であってもよく、また、操作部１１０を介して変更可能であっても良い。
なお、表示される文章が英語の場合は、文字数ではなくワード数により表示範囲を決定しても良い。
【００２９】
（４）第１実施形態においては、ぼけずにはっきり表示される表示範囲は１行であったが、これに限定されない。例えば注目点１の行の両隣の行も含めて、例えば３行を、注目点１の行と同様に表示範囲としてぼかさずにはっきり表示してもよい。
【００３０】
（５）上述の実施形態では、表示範囲とそれ以外のぼかす範囲とを明確に区別したが、これに限定されず、境界を明確にせず、だんだんぼかすようにしても良い。
【００３１】
（６）また、ＲＯＭ１３は、複数人のデータを登録可能であってもよい。この場合、操作部１１０の操作により使用者を選択して、自己のデータを読み出すようにしてもよい。
【００３２】
（７）本実施形態では、使用者の注目点を含む所定の表示範囲以外をぼかすことにより、読んでいる箇所を見失うことを防止したが、これに限定されず、注目点を含む所定の表示範囲以外をぼかさず、またはこれと併用して、注目点を含む所定範囲の文字を拡大するものであっても良い。
【００３３】
（８）第１実施形態における表示装置は、文章表示装置として説明したが、これに限定されず、これに限らず、表示装置自体、文章表示以外の種々の表示が可能であって、使用者が操作ボタン２１によって文書閲覧モードを選択した際に、第１実施形態の動作を行うものであってもよい。
【００３４】
（９）また、上記実施形態は、表示装置として説明したが、本発明はこれに限定されず、コンピュータに読み込まれることにより、コンピュータを実施形態の表示装置と同様の機能を有する装置として機能させるプログラムであってもよい。
【００３５】
なお、実施形態及び変形形態は、適宜組み合わせて用いることもできるが、詳細な説明は省略する。また、本発明は以上説明した実施形態によって限定されることはない。
【符号の説明】
【００３６】
１：表示装置、１１：ＣＰＵ、１２：ＲＡＭ、１３：ＲＯＭ、１４：表示部、１５：表示制御部、１６：視線検出部、１７：撮像部、１８：記録部、１９：通信部、１１０：操作部
【図１】
2018055115.tif 000003
【図２】
2018055115.tif 000004
【図３】
2018055115.tif 000005
【図４】
2018055115.tif 000006
【図５】
2018055115.tif 000007